(57)【要約】【課題】透光性のカバー部材の支持構造を改良して器具の小型化を図ることが可能な照明器具を提供する。【解決手段】光源１１と；環状の側壁部１３ｆおよび側壁部の内側に設けられ、光源の光を反射する反射面１３ｂを有する反射体１３と；反射体の反射面を覆うと共に、反射体の側壁部に係止する係止部１４ｃを有する透光性のカバー部材１４と；カバー部材を係止した反射体を、その係止部を内包して収容し、側壁部に対して外側方向への係止部の移動を規制する器具本体１５と；を具備する照明器具１０を構成する。【選択図】        図１
2010073650.tif 000002
【特許請求の範囲】
【請求項１】
光源と；
環状の側壁部および側壁部の内側に設けられ、光源の光を反射する反射面を有する反射体と；
反射体の反射面を覆うと共に、反射体の側壁部に係止する係止部を有する透光性のカバー部材と；
カバー部材を係止した反射体を、その係止部を内包して収容し、側壁部に対して外側方向への係止部の移動を規制する器具本体と；
を具備することを特徴とする照明器具。
【請求項２】
半導体発光素子と；
環状の側壁部および側壁部の内側に設けられ、半導体発光素子の光を反射する反射面を有し導電性を有する反射体と；
反射体の反射面を覆うと共に、反射体の側壁部に係止する係止部を有し側壁部を覆う非導電性の被覆部を設けた透光性のカバー部材と；
カバー部材を係止した反射体を、その係止部を内包して収容し、側壁部に対して外側方向への係止部の移動を規制すると共に、導電性部材からなる器具本体と；
を具備することを特徴とする照明器具。
【発明の詳細な説明】
【技術分野】
【０００１】
本発明は、スポットライトやダウンライト等、反射体の前面に透光性のカバー部材を設けた照明器具に関する。
【背景技術】
【０００２】
近年、フィラメント電球に代わって、寿命が長く、また消費電力の少ない発光ダイオードを光源として採用した照明器具が商品化されている。例えば、特許文献１には、基板に白色発光ダイオードを設置し、基板の前方にレンズ固定板と前カバーを配設し、これらをランプシェード内に位置させたスポットライトが示されている。
【特許文献１】特開２００６−２９４５２６号公報
【発明の開示】
【発明が解決しようとする課題】
【０００３】
この種、特に、発光ダイオードを光源とする照明器具は、長寿命と省エネ化を図ると共に、如何に器具を小型に構成するかが重要な課題となっている。特に光源の前方に位置し反射体を覆う透光性のカバー部材は、光源を外部から、特に発光ダイオードなど露出する充電部を塵埃等から保護すると共に、使用者が直接充電部を触らないようにするために必要なものであり、通常はアクリル等の透明な合成樹脂やガラス板で構成され、反射体の前面に円板状のカバー部材を当接して、その周囲を別部材、例えば、リング状の枠部材をゴム等のパッキングを介して反射体の開口縁部とカバー部材の外周縁部を挟み込み支持している。このため、カバー部材の外周に別部材であるリング状の枠部材が突出し、実質的に大きな外径をなすこととなり、器具の小型化を図ることができなくなる。
【０００４】
また、特許文献１に示されるものは、発光ダイオードを設置した基板、レンズ固定板、前カバーを、順次ランプシェード内に位置させ、レンズにより光を制御するものであり、反射体を有するものではなく、反射体に対する前カバーの支持構成については開示されていない。このため、この種、透光性のカバー部材を有する、例えば、スポットライト等の照明器具においては、反射体の反射面を覆うカバー部材を如何にして支持し器具の小型化を図るかが重要な課題となっている。
【０００５】
本発明は、上記課題に鑑みてなされたもので、透光性のカバー部材の支持構造を改良して器具の小型化を図ることが可能な照明器具を提供しようとするものである。
【課題を解決するための手段】
【０００６】
上記目的を達成するために、請求項１に記載の照明器具の発明は、光源と；環状の側壁部および側壁部の内側に設けられ、光源の光を反射する反射面を有する反射体と；反射体の反射面を覆うと共に、反射体の側壁部に係止する係止部を有する透光性のカバー部材と；カバー部材を係止した反射体を、その係止部を内包して収容し、側壁部に対して外側方向への係止部の移動を規制する器具本体と；を具備することを特徴とする。
【０００７】
本発明によれば、反射体の反射面を覆うと共に、反射体の側壁部に係止する係止部を有する透光性のカバー部材により、カバー部材の外周に別部材であるリング状の枠部材等が突出するようなことがなく、器具の小型化を図ることが可能となる。また、カバー部材を係止した反射体を、その係止部を内包して収容し、側壁部に対して外側方向への係止部の移動を規制する器具本体により、カバー部材と反射体との係止が外れることが阻止され、カバー部材を反射体に確実に支持させることができる。
【０００８】
本発明において、照明器具は、スポットライトやダウンライト等住宅用の照明器具に限らず、店舗、オフィスなど施設・業務用の各種の照明器具を構成しても、さらには、一般照明用の白熱電球に置き換え可能な発光ダイオードなどを用いたＬＥＤ電球等を構成するものであってもよい。
【０００９】
光源は、発光ダイオードや半導体レーザーなど、半導体を発光源とした半導体発光素子が好適であるが、白熱電球やハロゲン電球、さらには放電灯等で構成されたものであってもよい。光源は複数個で構成されていることが好ましいが、照明の用途に応じて必要な個数は選択され、例えば、１個の光源で構成されるものであってもよい。
【００１０】
反射体は、光源からの光を反射し反射面から放射するもので、回転対象となる配光を得るために、光源の発光領域を囲繞するように横断面が円形をなす「すり鉢状」の凹部で形成してもよい。また、例えば、横断面が矩形状をなす「すり鉢状」の凹部などの形状でもよく、特定された形状のものには限定されない。材質は、光の反射性能を考慮して、耐光性、耐熱性および電気絶縁性を有する白色の合成樹脂、例えば、ＰＢＴ（ポリブチレンテレフタレート）や、アクリルやＡＢＳ等の合成樹脂で一体に形成してもよい。また、その表面を白色に塗装しても、アルミニウムや銀等の金属を蒸着若しくはメッキなどを施して鏡面または半鏡面に加工したものであってもよい。さらに、アルミニウムや銅等の金属で構成し、上記の合成樹脂と同様に白色塗装や蒸着若しくはメッキ等を行ってもよい。
【００１１】
反射体は、光源の個数に応じ各光源個々に対応して設けるようにしてもよい。個々に設けられた複数個の反射体は、全て同一の配光特性が得られるように構成しても、個々に異なる配光特性を有するものを組み合わせるようにしてもよい。また、複数個の光源に対して１個の共通の反射体を設けるものであってもよい。さらには１個の光源に対して１個の反射体を設けるものであってもよい。
【００１２】
反射体に設けられた側壁部体は、反射体に一体に側壁部を形成しても、または、別体に形成したものであってもよい。側壁部は、反射体の外側の周囲全体に形成されても、周囲に所定の間隔を有して断片的に形成したものであってもよい。
【００１３】
カバー部材は、透明または半透明等、透光性を有するもので、材質は係合部を一体に形成するためにアクリル等の合成樹脂で構成することが好ましいが、ガラスで構成し係合部はガラスとは別体の部材で構成するようにしてもよい。形状は円板や矩形状の平板等、特定の形状に限定されないが、反射体の反射面を覆うことができる全ての形状が許容される。また、カバー部材にレンズ等の光制御機能をもたせたものであってもよい。さらに、例えば、屋外照明器具等の場合には、パッキング等の気密部材を介して反射面を覆うように構成し防水性を向上させるようにしてもよい。
【００１４】
係止部は、例えば、合成樹脂からなる円板状のカバー部材に一体に鉤部を形成し、樹脂の弾性力を利用して鉤部を反射体の側面に形成された凹部に係止させることが許容されるが、その具体的な手段は、例えば、鉤部と凹部は、上記とは逆に鉤部を反射体に凹部をカバー部材に設けるなど、反射体の側壁部に係合させることが可能な全ての手段が許容される。
【００１５】
係止部を内包して収容し、側壁部に対して外側方向への係止部の移動を規制する器具本体は、係合部を内包することにより、係止部が外力などにより外れることを防止するための手段であり、カバー部材を係止した反射体全てを器具本体内に内包して収容し支持することが、小型化を達成することからは好ましいが、一部が内包されずに突出してもよく、要は係止が外力などにより外れないように内包するための全ての手段が許容される。器具本体は、光源、例えば、発光ダイオードから発生する熱を放熱するためには、アルミニウム等の熱伝導性を有する金属で構成されることが好ましいが、ここでは、カバー部材を係合した反射体を収容する機能を有していれば、金属に限らず、例えば、合成樹脂等で構成されたものであってもよい。
【００１６】
請求項２に記載の照明器具の発明は、半導体発光素子と；環状の側壁部および側壁部の内側に設けられ、半導体発光素子の光を反射する反射面を有し導電性を有する反射体と；反射体の反射面を覆うと共に、反射体の側壁部に係止する係止部を有し側壁部を覆う非導電性の被覆部を設けた透光性のカバー部材と；カバー部材を係止した反射体を、その係止部を内包して収容し、側壁部に対して外側方向への係止部の移動を規制すると共に、導電性部材からなる器具本体と；を具備することを特徴とする。
【００１７】
導電性を有する反射体は、光の反射性能を考慮して鏡面または半鏡面等に加工するため、表面にアルミニウムや銀等の金属を蒸着若しくはメッキなどにより形成される導電性の反射膜を有する合成樹脂製の反射体が許容されが、導電性を有するアルミニウムや銅等の金属で構成し、白色塗装や蒸着若しくはメッキ等を施したものであってもよい。
【００１８】
透光性のカバー部材に設けられた非導電性の被覆部は、導電性を有する反射体と導電性部材からなる器具本体との電気絶縁をなすための手段であり、反射体の側面全体を被覆するように形成しても、例えば、カバー部材に形成された係止部で、反射体の側壁部が被覆されるなど、他の部材で被覆できる部分には形成しなくてもよく、要は、器具の小型化を阻害することなく、反射体の側壁部と器具本体が接触しないように被覆するための全ての手段が許容される。
【００１９】
導電性部材からなる器具本体は、放熱性を考慮してアルミニウムや銅など、熱伝導性も有する金属で構成されることが好ましいが、放熱性を有することが条件ではなく、例えば、合成樹脂に導電性の金属を蒸着したものであってもよい。
【発明の効果】
【００２０】
請求項１記載の発明によれば、反射体の反射面を覆うと共に、反射体の側壁部に係止する係止部を有する透光性のカバー部材により、器具の小型化を図ることが可能となる。また、カバー部材を係止した反射体を、その係止部を内包して収容し、側壁部に対して外側方向への係止部の移動を規制する器具本体により、カバー部材と反射体との係止が外れることが阻止され、カバー部材を反射体に確実に支持させることができる。
【００２１】
請求項２記載の発明によれば、反射体の反射面を覆うと共に、反射体の側壁部に係止する係止部を有する透光性のカバー部材により、器具の小型化を図ることが可能となる。また、カバー部材を係止した反射体を、その係止部を内包して収容し、側壁部に対して外側方向への係止部の移動を規制する器具本体により、カバー部材と反射体との係止が外れることが阻止され、カバー部材を反射体に確実に支持させることができる。さらに、側壁部を覆う非導電性の被覆部を設けた透光性のカバー部材により、導電性を有する反射体と導電性部材からなる器具本体との電気絶縁を図ることができる。
【発明を実施するための最良の形態】
【００２２】
以下、本発明に係る照明器具の実施形態につき、図に従い説明する。
【実施例１】
【００２３】
本実施例の照明器具１０は、長尺状の配線ダクトに装着して使用されるスポットライトを構成したものであり、図１に示すように、光源１１、光源を配設した基板１２、光源の光を反射する反射面を有する反射体１３、反射体の反射面を覆うカバー部材１４、カバー部材と反射体を収容する器具本体１５で構成する。
【００２４】
光源１１は、半導体発光素子、本実施例では発光ダイオード（以下「ＬＥＤ」と称す）で構成し、同一性能を有する複数個、本実施例では、６個のＬＥＤ１１が用意される。この各ＬＥＤは、本実施例では青色ＬＥＤチップとこの青色ＬＥＤチップにより励起される黄色蛍光体により白色を発光する高輝度、高出力のＬＥＤからなり、さらに一方向、すなわちＬＥＤは光軸ｘ−ｘに光線が主として放射される。ここで光軸ｘ−ｘは、ＬＥＤ１１が実装される基板１２の面に対して略鉛直方向のことである（図２（ｂ））。基板１２は、回路基板からなり、回路基板はエポキシ樹脂製の円板状の回路配線基板で構成され、表面に６個の各ＬＥＤ１１を同心円状に略等間隔に実装して配設する。
【００２５】
反射体１３は、耐光性、耐熱性および電気絶縁性を有する白色の合成樹脂、本実施例では、ＰＢＴ（ポリブチレンテレフタレート）により円盤状に一体に構成する。円盤の表面側には、表面側に拡開し白色の内面が回転放物面状をなす、同一の形状・寸法を有する凹部１３ａを複数個、本実施例では６個を、基板１２に実装された６個の各ＬＥＤ１１に対向するように同心円状に略等間隔になるように一体に形成する。
【００２６】
凹部１３ａは、個別の６個の反射体を構成するもので、光源であるＬＥＤ１１からの光を反射し反射面から放射するもので、回転対象となる配光を得るためにＬＥＤ１１の発光領域を囲繞するように横断面が円形をなす「すり鉢状」の反射面１３ｂを形成し、凹部１３ａの開口を光出射部１３ｃとし底部に貫通孔１３ｄを形成する。
【００２７】
反射体１３を構成する円盤の裏面側には、内部に空間部を形成した開口部１３ｅを形成すると共に、反射面１３ｂが内側に位置するようにして、その側面に一体に環状の側壁部１３ｆを形成し、この側壁部に円盤の中心から放射方向へ３箇所、すなわち、１２０°の角度で等間隔に係合凹部１３ｇを一体に形成する。係合凹部１３ｇは、図３に拡大して示すように、開口部１３ｅの端面から略中間部までを貫通させた長方形の貫通孔１３ｈを形成し、貫通孔の上方部分は貫通させずに段部１３ｉとなるように形成する。段部は、側壁部１３ｆの肉厚寸法ａの略半分の厚さ寸法、若しくは半分より薄い寸法を有して、側壁部１３ｆの内面側に位置させて一体に形成する。これにより、側壁部１３ｆの外面側に側壁部１３ｆの肉厚寸法ａの略半分、若しくは半分より深い寸法の凹溝１３ｊが形成される。
【００２８】
上記に構成された反射体１３は、光の反射性能をさらに向上させるために、反射膜、本実施例では、アルミニウムによる蒸着膜、すなわち、導電性を有する反射膜１３ｋを施して鏡面に加工される。反射膜１３ｋは、反射体１３の表面側全体および反射面１３ｂを含んだ凹部１３ａに蒸着を施して形成する。この際、後述する導電性のアルミダイカストからなる器具本体１５との電気絶縁をなすために、器具本体と接近する部分、すなわち、側壁部１３ｆには導電性のアルミニウムが蒸着されないようにマスキングをして蒸着作業を行う。
【００２９】
上記に構成された反射体１３には、その開口部１３ｅに各ＬＥＤ１１を実装した基板１２を当接する。これにより、反射体１３の各凹部１３ａの底面に形成された貫通孔１３ｄの中心に対して、各ＬＥＤ１１が外部に露出して臨むように配置され、各凹部１３ａにより構成された個別の反射体の光軸ｙ−ｙとＬＥＤ１１の光軸ｘ−ｘが略一致した状態に構成される（図２（ｂ））。これにより、反射体１３は、光源であるＬＥＤ１１の光を反射面１３ｂで反射し光出射部１３ｃから放射するように構成される。
【００３０】
さらに、反射体１３には、カバー部材１４が係合されて一体化される。すなわち、図１に示すように、カバー部材１４は透光体、本実施例では、透明なアクリル樹脂で円板をなす形状に構成する。円板の直径寸法は、円盤状をなす反射体１３の直径寸法Φ１と略同様の寸法となし（図５）、反射体の６個の凹部１３ａの各反射面１３ｂを共通に覆うように構成される。カバー部材１４には、さらに、反射体１３の側壁部１３ｆに形成された係合凹部１３ｇに係合する係合部１４ａを形成する。係合部は、アクリル樹脂からなるカバー部材の円板の外周縁部に円板の中心から放射方向へ３箇所、すなわち、反射体の係合凹部１３ｇと同様に１２０°の角度で略等間隔に３本の脚１４ｂを立ち上げて一体に形成する（図１）。
【００３１】
詳細には図３（ａ）に拡大して示すように、３本の脚１４ｂは、その先端部分に円板の中心方向に向かって突出する本発明における係止部としての鉤部１４ｃを一体に形成する。さらに、３本の脚１４ｂの厚さ寸法ｂは、反射体１３の側壁部１３ｆの肉厚寸法ａの略半分、若しくは半分より薄い寸法を有し、カバー部材１４が反射体１３に取り付けられた状態で反射体１３の側壁部１３ｆの外面よりも外側に突出しないように構成される。
【００３２】
係止部である鉤部１４ｃを側壁部１３ｆの係合凹部１３ｇに係止させる状態および係止する状態は、図３に拡大して示すように、カバー部材１４を反射体１３の表面側から被せるように押し込む（図３（ａ））。これにより、カバー部材１４に一体に形成された脚１４ｂの鉤部１４ｃが合成樹脂製の細い脚の弾性力によって撓みながら係合凹部１３ｇの凹溝１３ｊに乗り上げ（図３（ｂ））、さらに下方に移動することによって鉤部１４ｃが段部１３ｉを越えて貫通孔１３ｈに入り込み、突出する鉤部１４ｃと段部１３ｉが係止する状態となる（図３（ｃ））。すなわち、凹溝１３ｊと係止部である鉤部１４ｃとが係止することによってカバー部材１４が反射体１３に保持され一体化される。
【００３３】
この状態で、３本の脚１４ｂの厚さ寸法ｂは、反射体１３の側壁部１３ｆの肉厚寸法ａの略半分、若しくは半分より薄い寸法を有し、側壁部１３ｆの肉厚寸法ａの略半分、若しくは半分より深い寸法の凹溝１３ｊが形成されているので、脚１４ｂが側壁部の表面から突出することなく凹溝１３ｊ内に収容された状態で係止される（図３（ｄ））。これにより、係止部である鉤部１４ｃが反射体１３の直径寸法Φ１より外側に突出することがなく、カバー部材１４を係止し一体化された反射体１３が大型化することなく小型に構成される。なお、鉤部１４ｃを細い工具等で弾性に抗して曲げ段部１３ｉとの係合状態を外せば、カバー部材１４を反射体１３から容易に取り外すことができ、カバー部材は反射体に対して着脱が可能となるように一体化されている。
【００３４】
上記係止部１４ｃおよび係合凹部１３ｇの構成・作用により、カバー部材１４が反射体１３に係止されて一体化される。このカバー部材１４が係止された反射体１３は、上記のように小型に構成されると共に、反射体１３の反射面１３ｂが透明なカバー部材１４で覆われ、反射体１３の貫通孔１３ｄから露出するＬＥＤ１１およびその充電部がカバー部材１４によって覆われて保護される。
【００３５】
器具本体１５は、図１および図４に示すように、熱伝導性が良好で、かつ導電性を有するアルミダイカストからなり、一端部に上記構成のカバー部材１４が係止された反射体１３を収容するための横断面が円形を成す凹部からなる収容部１５ａを形成し、他端部に複数の放熱フィン１５ｂを一体に形成した放熱部１５ｃを有する略椀状をなす形状に構成する。図５に示すように円形の凹部からなる収容部１５ａ内壁の直径寸法Φ２は、円盤状をなす反射体１３および円板からなるカバー部材の直径寸法、すなわち、カバー部材１４が係止され一体化された反射体１３の直径寸法Φ１より若干大きい寸法に形成する。
【００３６】
詳細には図５に示すが、後述するように、カバー部材１４が係止され一体化された反射体１３を、器具本体１５の収容部１５ａに内包して収容した際に、係止部である鉤部１４ｃの係止が外れないように、換言すれば、鉤部１４ｃが段部１３ｉに係合した状態から、鉤部１４ｃが外方に撓んで段部１３ｉから外れないように、収容部１５ａの内壁で鉤部１４ｃの外方への撓みを規制できる寸法に構成する（Φ２＜Φ４：Φ２は収容部１５ａ内壁の直径寸法、Φ４は鉤部１４ｃが段部１３ｉから外れるときの撓み寸法）。これにより、収容部１５ａ内壁の直径寸法Φ２は、カバー部材１４が係止され一体化された反射体１３を内包できる最小限の直径寸法にすることができ、上述した反射体の小型化と相まって、収容部１５ａ、すなわち、器具本体１５の小型化を図ることができる。
【００３７】
凹部からなる収容部１５ａは、底部が閉塞され底部の表面は平滑に形成されて基板設置部１５ｄが一体に形成される。放熱フィン１５ｂは収容部１５ａの基板設置部１５ｄの裏面側から直接一体に複数突出して形成され、その表面積を大きくするために平板状をなし、各フィン間に空気流通用の隙間Ｓを形成するように配置される。また、器具本体１５の外周には、放熱フィン１５ｂの板面に沿う方向、換言すれば、各放熱フィン間の隙間Ｓに空気が流通する方向ａに対して、略直交する方向に対向して軸受け部１７を一体に形成し（図１）、Ｕ字形状をなす金属、本実施例ではステンレスからなるアーム１８の両端部を回動可能に軸支する。図１中１９は、収容部１５ａに、カバー部材１４が係止されて一体化された反射体１３をネジ等の固定手段で支持するための支持孔、また、基板１２に配設されたＬＥＤ１１に配線接続したコードが放熱部１５ｃの所定の位置から引き出される。
【００３８】
上記に構成された器具本体１５の収容部１５ａに、カバー部材１４が反射体１３に係止されて一体化された状態で収容される。すなわち、図５に示すように、基板１２を構成する回路基板の裏面側を、器具本体１５の平滑に形成され基板設置部１５ｄに熱伝導性を有し電気絶縁性を有するシリコーン樹脂等からなる絶縁シート２０、若しくは接着剤等を介して密着させ、収容部１５ａの中心軸線（光軸ｂ−ｂ）を貫通させたネジ等の固定手段により支持して収容部１５ａ内に収容される。
【００３９】
これにより、基体１２を構成する回路基板と基板設置部１５ｄが熱的に緊密に連結され、基板１２に配設された各ＬＥＤ１１から発生する熱が、基板設置部１５ｄから放熱フィン１５ｂを介して放熱される。また、器具本体１５は、収容部１５ａにカバー部材１４を係止した反射体１３を、その係止部である鉤部１４ｃを内包して収容し、前述したように鉤部１４ｃの係止が外れないように支持される。また、光源体１６の光軸ａ−ａが、椀状の器具本体１５の中心軸ｂ−ｂに略合致し、略円形の発光面を有する小型・軽量に構成されたスポットライト１０が構成される。
【００４０】
上記に構成されたスポットライト１０は、図６に示すように、光源であるＬＥＤ１１の点灯回路等を内蔵した電源部２１に、アーム１８を水平方向に回動が可能になるように支持し、電線引き出し部から引き出されたコードを電源部に配線接続する。また電源部の上面には端子部を有する接続部２２が設けられ配線ダクト２３の長手方向にスライド可能な状態で電気接続がなされるように設置され、配線ダクト２３を介してスポットライト１０に１００Ｖの商用電源が供給される。
【００４１】
上記に構成され設置されたスポットライト１０点灯すると、各ＬＥＤ１１が発光し、ＬＥＤから放射された光は反射体１３の反射面１３ｂで反射しながら光出射部１３ｃからカバー部材１４を透過して放射され目的とするスポットライトとしての配光特性をもった照明を行う。
【００４２】
また、点灯時に各ＬＥＤ１１から発生する熱は、基体１２から器具本体１５の基板設置部１５ｄ、さらに外気に露出して設けられた広い面積を有する複数の放熱フィン１５ｂを介して放熱される。この際、器具本体１５を熱伝導性の良好なアルミダイカストで構成し、しかも、複数の放熱フィン１５ｂは基板設置部１５ｄに裏面側に直接一体に形成したので、熱伝導ロスを少なくして効果的に外部に放熱させることができる。さらに、アーム１８の軸受け部１７が器具本体の放熱部１５ｃに一体に形成され、アームがステンレスで構成されているので、放熱部１５ｃから軸受け部１７、さらにアーム１８を介する熱伝導経路からも放熱される。
【００４３】
以上、本実施例によれば、カバー部材１４の係止部である鉤部１４ｃが反射体１３の直径寸法Φ１より外側に突出することがなくカバー部材１４を係止した反射体１３が大型化することなく小型に構成することができる。器具本体１５の収容部１５ａ内壁の直径寸法Φ２は、カバー部材１４を一体化した反射体１３を内包できる最小限の直径寸法にすることができ、上述した反射体１３の小型化と相まって器具本体１５の小型化を図ることができる。これら作用により小型・軽量でコスト的にも有利で、かつデザイン的にも悪影響を与え難いスポットライト等の照明器具を提供することができる。
【００４４】
また、カバー部材１４の脚１４ｂおよび係止部である鉤部１４ｃは、一体に形成されているので、従来のようにリング状の枠部材等の別部材が不要となり、小型化を図ることができると共に、コスト的にも有利な照明器具を提供することができる。さらに、その組立作業もカバー部材１４を反射体１３に被せるように単に押し込む単純な作業で行うことができ、コスト的にも一層有利となる。
【００４５】
また、収容部１５ａにカバー部材１４を係止した反射体１３を、その係止部１４ｃを内包して収容するので、器具本体１５は小型化を図りつつ、係止部１４ｃの係止が外れないように支持され、カバー部材１４を係止した反射体１３を器具本体１５に確実に支持することができる。また、カバー部材１４を係止した反射体１３は、上記のように小型に構成されると共に、反射体１３の反射面１３ｂが透明なカバー部材１４で覆われ、反射体１３の貫通孔１３ｄから露出するＬＥＤ１１およびその充電部がカバー部材１４によって覆われて外部の塵埃等から保護することができ、また使用者が直接充電部を触らないようにすることができる。
【００４６】
また、点灯時に各ＬＥＤ１１から発生する熱は、基体１２から器具本体１５の基板設置部１５ｄ、さらに外気に露出して設けられた広い面積を有する複数の放熱フィン１５ｂを介して熱される。同時に放熱部１５ｃから軸受け部１７、さらにアーム１８を介する熱伝導経路からも放熱され、これら放熱作用により、各ＬＥＤ１１の発光効率の低下が抑制され、光束低下による照度の低下を防止することができる。
【００４７】
以上、本実施例において、カバー部材１４に係止部である鉤部１４ｃを反射体１３に係合凹部１３ｇを形成したが、逆に、反射体に係止部である鉤部をカバー部材に係合凹部を形成してもよい。すなわち、反射体の側壁部に脚および鉤部を形成し、カバー部材に係合凹部の凹溝および鉤部が係合する段部を形成して構成してもよい。係止部である鉤部１４ｃおよび係合凹部１３ｂを３箇所に設けたが、対向して２箇所に設けるようにしてもよく、要は２箇所以上設けるものであればよい。
【００４８】
基板は、エポキシ樹脂等の合成樹脂で構成したが、熱伝導性の観点からアルミニウムや銅等の金属で構成されたものであってもよい。形状は、点モジュールを構成するために円板状をなす形状にしても、線モジュールを構成する長尺なライン状をなすようにしてもよく、目的とする配光特性を得るための全ての形状が許容される。
【００４９】
本実施例において、配線ダクト２３に装着されるスポットライト１０を構成したが、天井や壁面に直付けして使用されるスポットライトを構成するようにしてもよい。また、電源部２１を器具本体１５に対して別置きにして構成したが、器具本体１５内にＬＥＤの点灯回路等を内蔵させて電源部一体型のスポットライト等の照明器具を構成してもよい。
【００５０】
さらに、本実施例で構成される照明器具としては、図７に示すように、一般照明用の白熱電球に置き換え可能な発光ダイオードを用いたＬＥＤ電球３０を構成してもよい。すなわち、ＬＥＤ電球３０は、本実施例の小型に構成された光源体１６、すなわち、カバー部材１４を係合した反射体１３を組み込んだ光源部３１と、点灯装置３２を収納したケース部材３３と、口金３４で構成する。口金３４は一般照明用の白熱電球用のソケットに装着可能な、例えばＥ２６形口金で構成する。このＬＥＤ電球によれば、小型・軽量なＬＥＤ電球を実現することが可能となる。
【実施例２】
【００５１】
本実施例は、反射体の側壁部を覆う非導電性の被覆部を設けた透光性のカバー部材を構成することにより、導電性を有する反射体と導電性部材からなる器具本体との電気絶縁を図るように構成したものである。以下、図８および図９に従って説明する。なお、図８および図９には実施例１の図１〜図７と同一部分には同一の符号を付し、詳細な説明は省略する。
【００５２】
反射体１３は、実施例１でも示すように、光の反射性能をさらに向上させるために、アルミニウムによる蒸着膜、すなわち、導電性を有する反射膜１３ｋを施して鏡面に加工される。一方、器具本体１５は光源であるＬＥＤ１１から発生する熱を放熱させるために、アルミニウムや銅等の熱伝導性の良好な金属、すなわち、導電性を有する金属で構成される。
【００５３】
このため、器具本体１５の収容部１５ａにカバー部材１４が一体化された反射体１３を収容する場合には、器具本体と反射体との間に、電気的な絶縁距離をとる必要がある。このため、器具全体が大きくなり小型化を図るための支障となっている。この問題を解決するために、本実施例では、アクリル樹脂からなるカバー部材１４に、反射体１３の側壁部１３ｆを覆う被覆部を一体に形成し、非導電性の被覆部１４ｄを形成する。
【００５４】
この被覆部１４ｄは次のようにして形成される。図９に示すように、円板からなるカバー部材１４の直径寸法Φ３は、円盤からなる反射体１３の直径寸法Φ１より、若干大きく形成し、円板の外周縁部から被覆部１４ｄを立ち上げて一体に形成する。被覆部１４ｄは、３本の脚１４ｂを避けた位置に略等間隔に樹脂製の薄い外壁状をなして形成される。外壁状をなす被覆部１４ｄの高さ寸法は、反射体１３の側壁部１３ｆを覆うことができるように、側壁部１３ｆの高さ寸法と略同様、若しくは側壁部より若干高い寸法に形成する。
【００５５】
上記に構成されたカバー部材１４は、実施例１と同様に、反射体１３の表面側から被せるようにして押し込まれる。これにより、カバー部材１４が反射体１３に係合されて一体化されると共に、カバー部材１４の被覆部１４ｄによって反射体１３の側壁部１３ｆが覆われ、さらに、３本の脚１４ｂおよび係止部である鉤部１４ｃによって被覆部１４ｄ間の隙間も覆われ、反射体１３の側壁部１３ｆの略全域が非導電性の部材で覆われる。これにより、アルミニウムを蒸着した導電性の反射体１３が電気絶縁性のアクリル樹脂からなる被覆部１４ｄで覆われた反射体１３´が構成される。
【００５６】
この反射体１３´を実施例１と同様に、器具本体１５の収容部１５ａに収容させると、図９に示すように、反射体１３´の側壁部１３ｆと、器具本体１５の収容部１５ａ内壁との間に被覆部１４ｄが介在する。これにより、導電性の反射体１３´と導電部材からなる器具本体１５との電気絶縁が確実に図られ安全性を向上させることができる。これによって、器具本体１５と反射体１３´との間に、電気的な絶縁距離をとる必要がなくなり、器具全体の大型化を防ぐことができ、小型・軽量な照明器具を構成することができる。同時に、アクリル樹脂からなるカバー部材１４は、円板の外周縁部から外壁状の被覆部１４ｄが一体に立ち上がって形成されるので円板が補強され強度を向上させることができる。
【００５７】
また、本実施例の被覆部１４ｄがない場合には、実施例１にも示されるように、器具本体１５と接近する部分、すなわち、側壁部１３ｆには導電性のアルミニウムが蒸着されないようにマスキングをして蒸着作業を行う必要があった。しかし、被覆部１４ｄを設けることにより反射体１３の側壁部１３ｆはマスキングすることなく、蒸着作業を行うことができる。このため、手間のかかるマスキング作業を省略することができ、作業が簡素化されコスト的にも有利になる。
【００５８】
その他、本実施例における他の構成、作動、作用効果、変形例等は、実施例１と同様である。以上、本発明の好適な実施形態を説明したが、本発明は上述の各実施例に限定されることなく、本発明の要旨を逸脱しない範囲内において、種々の設計変更を行うことができる。
【図面の簡単な説明】
【００５９】
【図１】本発明の第一の実施形態に係る照明器具を分解して示す斜視図。
【図２】同じく照明器具の反射体を示し、（ａ）は反射体の平面図、（ｂ）は反射体にカバー部材を係合させた状態で（ａ）のＡ−Ａ線に沿って断面した図。
【図３】同じく照明器具のカバー部材を反射体に係合させる状態を、一部を切り欠いて示す断面図で、（ａ）は係合させる直前の状態を示す図、（ｂ）は鉤部が凹溝に乗り上げた状態を示す図、（ｃ）は鉤部が段部に係止された状態を示す図。
【図４】同じく照明器具を器具本体の収容部を断面して示した側面図。
【図５】同じくカバー部材を係合させた反射体を、器具本体に収容する状態を、一部を切り欠いて示す断面図。
【図６】同じく照明器具を配線ガイドに設置した状態を示す斜視図。
【図７】同じく照明器具の変形例であるＬＥＤ電球を、一部を切り欠いて示す断面図。
【図８】本発明の第二の実施形態に係る照明器具を分解して示す斜視図。
【図９】同じくカバー部材を係合させた反射体を、器具本体に収容した状態を、一部を切り欠いて示す断面図。
【符号の説明】
【００６０】
１０  照明器具
１１  光源
１２  基板
１３  反射体
１３ｂ  反射面
１３ｆ  側壁部
１４  カバー部材
１４ｃ  係止部
１５  器具本体
【図１】
2010073650.tif 000003
【図２】
2010073650.tif 000004
【図３】
2010073650.tif 000005
【図４】
2010073650.tif 000006
【図５】
2010073650.tif 000007
【図６】
2010073650.tif 000008
【図７】
2010073650.tif 000009
【図８】
2010073650.tif 000010
【図９】
2010073650.tif 000011